(57)【要約】【課題】光学部材の位置がずれることを抑制できる保持機構及び画像読み取り装置を提供することである。【解決手段】ｙ軸方向に延在するミラー３２を保持する保持機構５０。保持部４０は、ミラー３２のｙ軸方向の負方向側の端部を保持する。保持部４２は、ミラー３２のｙ軸方向の正方向側の端部を保持する。保持部４２は、対向部５４ｂ、突起５４ｃ及び調整ねじ５４ｄを含んでいる。対向部５４ｂは、ミラー３２のｙ軸方向の正方向側の端部においてミラー３２の主面Ｓ１に対向する。突起５４ｃは、対向部５４ｂから突出し、かつ、ミラー３２の主面Ｓ１に接触する。調整ねじ５４ｄは、対向部５４ｂから突出し、かつ、ミラー３２の主面に接触し、対向部５４ｂに対する突出量を調整可能に構成されている。【選択図】図２
2013187756.tif 000002
【特許請求の範囲】
【請求項１】
所定方向に延在する板状の光学素子を保持する保持機構であって、
前記光学素子の前記所定方向の一方の端部を保持する第１の保持部と、
前記光学素子の前記所定方向の他方の端部を保持する第２の保持部と、
を備えており、
前記第２の保持部は、
前記光学素子の前記他方の端部において該光学素子の一方の主面に対向する第１の面状部材と、
前記第１の面状部材から突出し、かつ、前記光学素子の前記一方の主面に接触する第１の支持部と、
前記第１の面状部材から突出し、かつ、前記光学素子の前記一方の主面に接触する第２の支持部であって、該第１の面状部材に対する突出量を調整可能に構成されている第２の支持部と、
を含んでいること、
を特徴とする保持機構。
【請求項２】
前記第１の支持部及び前記第２の支持部は、前記所定方向に交差する方向に並んでいること、
を特徴とする請求項１に記載の保持機構。
【請求項３】
前記第１の保持部は、
前記光学素子の一方の主面に接触する第３の支持部を、
含んでいること、
を特徴とする請求項１又は請求項２のいずれかに記載の保持機構。
【請求項４】
前記第２の保持部は、
前記第１の支持部及び前記第２の支持部に対して前記光学素子を圧接させる第１の付勢部材であって、該第１の支持部及び該第２の支持部が並んでいる方向と平行な線上に位置する接触部分において該光学素子に接触している第１の付勢部材を、
更に含んでいること、
を特徴とする請求項１ないし請求項３のいずれかに記載の保持機構。
【請求項５】
前記第１の保持部は、
前記第３の支持部に対して前記光学素子を圧接させる第２の付勢部材を、
更に含んでいること、
を特徴とする請求項３に記載の保持機構。
【請求項６】
前記第１の面状部材は、前記光学素子の主面に略直交する第２の面状部材と連結されていること、
を特徴とする請求項１ないし請求項５のいずれかに記載の保持機構。
【請求項７】
前記第１の面状部材の所定方向に直交する方向の幅は、前記光学素子の所定方向に直交する方向の幅よりも大きいこと、
を特徴とする請求項１ないし請求項６のいずれかに記載の保持機構。
【請求項８】
前記第２の保持部は、
前記前記第１の面状部材から前記第１の支持部及び前記第２の支持部が突出している方向と同じ方向に突出しているストッパであって、前記光学素子において所定方向に延在している側面に接触するストッパを、
更に含んでいること、
を特徴とする請求項１ないし請求項７のいずれかに記載の保持機構。
【請求項９】
前記光学素子は、ミラーであること、
を特徴とする請求項１ないし請求項８のいずれかに記載の保持機構。
【請求項１０】
原稿を読み取る画像読み取り装置であって、
前記原稿に沿ってスライドする第１のユニットであって、該原稿に光を照射する光源及び該原稿が反射した光を該第１のユニットのスライド方向の一方側に反射する第１のミラーを含む第１のユニットと、
前記原稿に沿ってスライドする第２のユニットであって、前記第１のミラーが反射した光をスライド方向に直交する方向に反射する第２のミラー、該第２のミラーが反射した光をスライド方向の他方側に反射する第３のミラー、及び、該第３のミラーを保持する請求項９に記載の保持機構を含む第２のユニットと、
前記第３のミラーが反射した光を受光する撮像素子と、
を備えていること、
を特徴とする画像読み取り装置。
【発明の詳細な説明】
【技術分野】
【０００１】
本発明は、保持機構及び画像読み取り装置に関し、より特定的には、光学部材を保持する保持機構及び画像読み取り装置に関する。
【背景技術】
【０００２】
従来の一般的な保持機構に関する発明としては、例えば、特許文献１に記載の画像読み取り装置が知られている。図７は、特許文献１に記載の画像読み取り装置のミラー５０２の保持機構５００の外観斜視図である。
【０００３】
保持機構５００は、保持部材５０４，５０７、突起部５０５及び押圧部材５０６ａ，５０６ｂ，５０８ａ，５０８ｂを備えている。
【０００４】
保持部材５０４には、開口が設けられている。ミラー５０２の一端は、保持部材５０４の開口に挿入されている。また、保持部材５０４は、突起部５０４ａ及びアーム５０４ｃ，５０４ｄを含んでいる。突起部５０４ａは、保持部材５０４において下側に向かって突出しており、ミラー５０２の主面５０２ａに対して接触している。アーム５０４ｃ，５０４ｄは、板状部材がＬ字型をなすように折り曲げて構成されている。アーム５０４ｄは、ミラー５０２の主面５０２ａと対向している。突起部５０５は、アーム５０４ｄにおいて下方に向かって突出しており、ミラー５０２の主面５０２ａに対して接触している。また、突起部５０５は、ねじ等により構成され、アーム５０４ｄからの突出量の調整が可能な構成を有している。
【０００５】
押圧部材５０６ａ，５０６ｂは、保持部材５０４の開口内に設けられ、ミラー５０２の主面５０２ｂを上側に押し上げている。これにより、突起部５０４ａ，５０５がミラー５０２の主面５０２ａに圧接している。
【０００６】
保持部材５０７には、開口が設けられている。ミラー５０２の他端は、保持部材５０７の開口に挿入されている。また、保持部材５０７は、突起部５０７ａを含んでいる。突起部５０７ａは、保持部材５０７において下側に向かって突出しており、ミラー５０２の主面５０２ａに対して接触している。
【０００７】
押圧部材５０８ａ，５０８ｂは、保持部材５０７の開口内に設けられ、ミラー５０２の主面５０２ｂを上側に押し上げている。これにより、突起部５０７ａがミラー５０２の主面５０２ａに圧接している。
【０００８】
以上のように構成された保持機構５００では、突起部５０５のアーム５０４ｄからの突出量を調整することによって、ミラー５０２の長手方向に延在する軸Ａｘ回りにおけるミラー５０２の位置を調整することが可能である。
【０００９】
しかしながら、特許文献１に記載の保持機構５００は、軸Ａｘ回りにおけるミラー５０２の位置がずれるという問題を有する。より詳細には、突起部５０５は、アーム５０４ｄに設けられている。アーム５０４ｄは、アーム５０４ｃと共にＬ字型の板状部材を構成している。このように折り曲げられたＬ字型の板状部材は、折り曲げられた部分の強度が弱いために、外力によって比較的に変形しやすい。一方、突起部５０４ａは、平板状の保持部材５０４の一部であるので、アーム５０４ｄに比べて変形しにくい。
【００１０】
したがって、保持機構５００が外力を受けると、アーム５０４ｃとアーム５０４ｄとのなす角度が変化し、突起部５０５の位置が変化するおそれがある。ただし、突起部５０４ａは変形しにくいので、突起部５０４ａの位置は変化しない。すなわち、突起部５０５と突起部５０４ａとの相対位置にずれが発生する。その結果、軸Ａｘ回りにおけるミラー５０２の位置がずれてしまうおそれがある。
【００１１】
以上のような保持機構５００が画像読み取り装置に適用されると、画像読み取り装置の組み立て時にミラー５０２の位置が調整されたとしても、画像読み取り装置の搬送時の振動等によって、軸Ａｘ回りにおけるミラー５０２の位置がずれるおそれがあった。また、搬送時の振動以外にも、原稿の読み取りの際に、保持機構５００の押圧部材５０６ａ，５０６ｂ，５０８ａ，５０８ｂがミラー５０２を押す力の大きさが変動して、軸Ａｘ回りにおけるミラー５０２の位置がずれるおそれがあった。
【先行技術文献】
【特許文献】
【００１２】
【特許文献１】特開平１１−１１２７０７号公報
【発明の概要】
【発明が解決しようとする課題】
【００１３】
そこで、本発明の目的は、光学部材の位置がずれることを抑制できる保持機構及び画像読み取り装置を提供することである。
【課題を解決するための手段】
【００１４】
本発明の一形態に係る保持機構は、所定方向に延在する板状の光学素子を保持する保持機構であって、前記光学素子の前記所定方向の一方の端部を保持する第１の保持部と、前記光学素子の前記所定方向の他方の端部を保持する第２の保持部と、を備えており、前記第２の保持部は、前記光学素子の前記他方の端部において該光学素子の一方の主面に対向する第１の面状部材と、前記第１の面状部材から突出し、かつ、前記光学素子の前記一方の主面に接触する第１の支持部と、前記第１の面状部材から突出し、かつ、前記光学素子の前記一方の主面に接触する第２の支持部であって、該第１の面状部材に対する突出量を調整可能に構成されている第２の支持部と、を含んでいること、を特徴とする。
【００１５】
本発明の一形態に係る画像読み取り装置は、原稿を読み取る画像読み取り装置であって、前記原稿に沿ってスライドする第１のユニットであって、該原稿に光を照射する光源及び該原稿が反射した光を該第１のユニットのスライド方向の一方側に反射する第１のミラーを含む第１のユニットと、前記原稿に沿ってスライドする第２のユニットであって、前記第１のミラーが反射した光をスライド方向に直交する方向に反射する第２のミラー、該第２のミラーが反射した光をスライド方向の他方側に反射する第３のミラー、及び、該第３のミラーを保持する前記保持機構を含む第２のユニットと、前記第３のミラーが反射した光を受光する撮像素子と、を備えていること、を特徴とする。
【発明の効果】
【００１６】
本発明によれば、光学部材の位置がずれることを抑制できる。
【図面の簡単な説明】
【００１７】
【図１】本発明の一実施形態に係る画像読み取り装置の構成図である。
【図２】ミラー及び保持機構の外観斜視図である。
【図３】保持機構の保持部の外観斜視図である。
【図４】保持機構の保持部の外観斜視図である。
【図５】スライダーユニットの外観斜視図である。
【図６】ｙ軸回りにおけるミラーの位置がずれた画像読み取り装置の構成図である。
【図７】特許文献１に記載の画像読み取り装置の保持機構の外観斜視図である。
【発明を実施するための形態】
【００１８】
以下に、本発明の一実施形態に係る保持機構を備えた画像読み取り装置について説明する。
【００１９】
（画像読み取り装置の構成）
図１は、本発明の一実施形態に係る画像読み取り装置１０の構成図である。以下では、鉛直方向をｚ軸方向と定義し、スライダーユニット１８，２０の移動方向（すなわち、副走査方向）をｘ軸方向と定義する。そして、ｘ軸方向及びｚ軸方向に直交する方向（すなわち、主走査方向）をｙ軸方向と定義する。
【００２０】
画像読み取り装置１０は、図１に示すように、本体１２、原稿カバー１４、プラテンガラス１６、スライダーユニット１８，２０、結像レンズ２２及び撮像素子２４を備えている。
【００２１】
本体１２は、原稿カバー１４、プラテンガラス１６、スライダーユニット１８，２０、結像レンズ２２及び撮像素子２４が設けられている直方体状の筐体である。プラテンガラス１６は、本体１２のｚ軸方向の正方向側に設けられている開口に取り付けられている長方形状の透明板である。原稿Ｐは、プラテンガラス１６の上面に、読み取り面をｚ軸方向の負方向側に向けた状態で載置される。
【００２２】
原稿カバー１４は、図１に示すように、原稿Ｐ上に覆いかぶさることにより、原稿Ｐをプラテンガラス１６に密着させる働きをする。
【００２３】
スライダーユニット１８は、原稿Ｐが読み取られているときに、図１に示すように、原稿Ｐに沿って、図示しないモーター、ベルト及びプーリー等の移動手段により、ｘ軸方向の正方向側に向かって速度Ｖで移動させられる。スライダーユニット１８は、図１に示すように、光源装置２７及びミラー２９を含んでいる。
【００２４】
光源装置２７は、原稿Ｐに対して光を照射し、例えば、ＬＥＤ及び導光体の組み合わせにより構成される。ミラー２９は、図１に示すように、原稿Ｐにおいて反射した光Ｂをｘ軸方向の負方向側（スライダーユニット１８のスライド方向の一方側）に反射する。
【００２５】
スライダーユニット２０は、原稿Ｐが読み取られているときに、図１に示すように、原稿Ｐに沿って、図示しないモーター、ベルト及びプーリー等の移動手段により、ｘ軸方向の正方向側に向かって速度Ｖ／２で移動させられる。スライダーユニット２０は、ミラー３０，３２及び後述する保持機構（図１には示さず）を含んでいる。
【００２６】
ミラー３０は、ミラー２９が反射した光Ｂをｚ軸方向の負方向側（スライダーユニット１８のスライド方向に直交する方向）に反射する。ミラー３２は、ミラー３０が反射した光Ｂをｘ軸方向の正方向側（スライダーユニット１８のスライド方向の他方側）に反射する。
【００２７】
結像レンズ２２は、光Ｂによって得られる光学像を撮像素子２４に結像させる。撮像素子２４は、ミラー３２が反射した光Ｂを受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００２８】
以上のように構成された画像読み取り装置１０において、原稿Ｐが読み取られる場合には、光源装置２７が放射した光Ｂが原稿Ｐに照射され、原稿Ｐにおいて反射した光Ｂがミラー２９，３０，３２によって順次反射される。そして、ミラー３２で反射された光Ｂは、結像レンズ２２に入射し、結像レンズ２２により撮像素子２４上で結像される。撮像素子２４は、画素毎に入射光の強さに応じて光電変換を行い、これによって原稿画像に対応した画像信号（ＲＧＢ信号）を生成し、制御部（図示せず）に出力する。
【００２９】
ここで、スライダーユニット１８が速度Ｖで移動させられ、スライダーユニット２０が速度Ｖ／２で移動させられることにより、移動中における原稿Ｐの読み取り面と撮像素子２４との間の光Ｂの経路の長さが一定に保たれている。これにより、原稿Ｐの読み取り中において、光Ｂが撮像素子２４上に常に結合している。
【００３０】
ところで、画像読み取り装置１０では、ミラー３２の位置がずれることを抑制するための保持機構が設けられている。図２は、ミラー３０，３２及び保持機構５０の外観斜視図である。図３は、保持機構５０の保持部４０の外観斜視図である。図４は、保持機構５０の保持部４２の外観斜視図である。図５は、スライダーユニット２０の外観斜視図である。図５では、ミラー３２が取り外された状態でスライダーユニット２０が示されている。図２ないし図５では、ミラー３２の法線方向をβ軸方向と定義する。また、ｙ軸方向とβ軸方向と直交する方向をα軸方向と定義する。α軸及びβ軸はそれぞれ、ｘ軸及びｚ軸をｙ軸を中心として４５°回転させた軸である。
【００３１】
保持機構５０は、ｙ軸方向に延在する板状のミラー３０，３２を保持し、図２ないし図５に示すように、保持部４０，４２を備えている。
【００３２】
保持部４０は、ミラー３０，３２のｙ軸方向の負方向側の端部を保持し、図２、図３及び図５に示すように、保持部材５２及び弾性部材６２，７０を含んでいる。保持部材５２は、金属板が折り曲げられて作製され、本体５２ａ、突起５２ｂ，５２ｃ（支持部）を含んでいる。
【００３３】
本体５２ａは、ｙ軸方向に垂直な板状部材であり、ミラー３０，３２と直角をなしている。また、本体５２ａには、本体５２ａの外縁の一部が窪んだ凹部Ｇ１，Ｇ２が設けられている。凹部Ｇ１は、図３に示すように、本体５２ａのβ軸方向の負方向側の辺が矩形状に窪んでいることにより形成されている。凹部Ｇ２は、図３に示すように、本体５２ａのα軸方向の負方向側の辺が矩形状に窪んでいることにより形成されている。
【００３４】
また、本体５２ａには、開口ｈ３，ｈ４が設けられている。開口ｈ３は、凹部Ｇ１のβ軸方向の正方向側に設けられている。開口ｈ４は、凹部Ｇ２のα軸方向の正方向側に設けられている。
【００３５】
突起５２ｂは、凹部Ｇ１の底部においてβ軸方向の負方向側に向かって突出している。突起５２ｃは、凹部Ｇ２の底部においてα軸方向の負方向側に向かって突出している。
【００３６】
保持部４２は、ミラー３０，３２のｙ軸方向の正方向側の端部を保持し、図２、図４及び図５に示すように、保持部材５４及び弾性部材６０，７２を含んでいる。保持部材５４は、金属板が折り曲げられて作製され、本体５４ａ（面状部材）、対向部５４ｂ（面状部材）、突起５４ｃ，５４ｆ，５４ｇ（支持部）、調整ねじ５４ｄ（支持部）及びストッパ５４ｅを含んでいる。
【００３７】
本体５４ａは、ｙ軸方向に垂直な板状部材であり、ミラー３０，３２と直角をなしている。また、本体５４ａには、本体５４ａの外縁の一部が窪んだ凹部Ｇ３が設けられている。凹部Ｇ３は、図４に示すように、本体５４ａのα軸方向の負方向側の辺が矩形状に窪んでいることにより形成されている。
【００３８】
対向部５４ｂは、本体５４ａと連結されており、ミラー３２のｙ軸方向の正方向側の端部においてミラー３２のβ軸方向の正方向側の主面Ｓ１と対向している。より詳細には、本体５４ａと対向部５４ｂとは一枚の金属板が折り曲げられて構成されており、略直角をなしている。よって、対向部５４ｂは、β軸に対して略直角をなしている。これにより、対向部５４ｂは、ミラー３２の主面Ｓ１と平行となっている。また、対向部５４ｂのα軸方向の幅は、ミラー３２のα軸方向の幅よりも大きい。更に、本体５４ａと対向部５４ｂとの連結部分（すなわち、金属板の折れ線）は、α軸方向に延在している。
【００３９】
また、本体５４ａには、開口ｈ１，ｈ２が設けられている。開口ｈ１は、対向部５４ｂのβ軸方向の正方向側に設けられている。開口ｈ２は、凹部Ｇ３のα方向の正方向側に設けられている。
【００４０】
突起５４ｃは、図５に示すように、対向部５４ｂからβ軸方向の負方向側に向かって突出している。突起５４ｃは、対向部５４ｂにプレスが施されることにより形成される。よって、突起５４ｃの先端は球状をなしている。
【００４１】
調整ねじ５４ｄは、図４及び図５に示すように、対向部５４ｂを貫通している段ねじであり、対向部５４ｂからβ軸方向の負方向側に向かって突出している。調整ねじ５４ｄは、対向部５４ｂに対してβ軸方向の正方向側から取り付けられており、回転により、対向部５４ｂに対する突出量が調整可能に構成されている。
【００４２】
また、突起５４ｃ及び調整ねじ５４ｄは、ｙ軸方向に交差する方向に並んでおり、本実施形態では、本体５４ａと対向部５４ｂとの連結部分近傍においてα軸方向に並んでいる。調整ねじ５４ｄは、突起５４ｃよりもα軸方向の正方向側に位置している。
【００４３】
突起５４ｆ，５４ｇは、凹部Ｇ３の底部においてα軸方向の負方向側に向かって突出している。突起５４ｆ，５４ｇは、β軸方向の正方向側から負方向側へとこの順に並ぶように設けられている。
【００４４】
ストッパ５４ｅは、対向部５４ｂから調整ねじ５４ｄ及び突起５４ｃが突出している方向と同じ方向（すなわち、β軸方向の負方向側）に突出している。本実施形態では、ストッパ５４ｅは、対向部５４ｂと連結されており、一枚の金属板が折り曲げられることにより構成されている。ストッパ５４ｅは、図４に示すように、調整ねじ５４ｄ及び突起５４ｃよりもα軸方向の正方向側に設けられている。
【００４５】
以上のように構成された突起５２ｂ，５４ｃの先端及び調整ねじ５４ｄの先端は、β軸方向に略垂直な平面を形成している。そして、ミラー３２のｙ軸方向の負方向側の端部が凹部Ｇ１内に載置され、ミラー３２のｙ軸方向の正方向側の端部が対向部５４ｂ上に載置される。これにより、突起５２ｂ，５４ｃ及び調整ねじ５４ｄは、ミラー３０のβ軸方向の正方向側の主面Ｓ１に点で接触している。その結果、ミラー３２は、突起５２ｂ，５４ｃの先端及び調整ねじ５４ｄの先端により形成されている平面上に位置決めされている。すなわち、ｙ軸回りにおけるミラー３２の位置決めがなされている。
【００４６】
更に、ミラー３２のｙ軸方向の負方向側の端部は、凹部Ｇ１によってα軸方向において位置決めされている。また、ミラー３２のｙ軸方向の正方向側の端部は、ストッパ５４ｅがミラー３２のα軸方向の正方向側の側面Ｓ３（ｙ軸方向に延在している側面）に接触することによって、α軸方向に位置決めされている。これにより、β軸回りにおけるミラー３２の位置決めがなされている。
【００４７】
また、突起５２ｃ，５４ｆ，５４ｇの先端は、α軸方向に略垂直な平面を形成している。そして、ミラー３０のｙ軸方向の負方向側の端部が凹部Ｇ２内に載置され、ミラー３０のｙ軸方向の正方向側の端部が凹部Ｇ３内に載置される。これにより、突起５２ｃ，５４ｆ，５４ｇは、ミラー３０のα軸方向の正方向側の主面Ｓ４に点で接触している。その結果、ミラー３０は、突起５２ｃ，５４ｆ，５４ｇの先端により形成されている平面上に位置決めされている。すなわち、ｙ軸回りにおけるミラー３２の位置決めがなされている。
【００４８】
更に、ミラー３０のｙ軸方向の負方向側の端部は、凹部Ｇ２によってβ軸方向において位置決めされている。また、ミラー３０のｙ軸方向の正方向側の端部は、凹部Ｇ３によってβ軸方向において位置決めされている。これにより、α軸回りにおけるミラー３０の位置決めがなされている。
【００４９】
弾性部材７０は、一枚の金属板がコ字型に折り曲げられて作製されている。そして、図２及び図３に示すように、弾性部材７０の一端が開口ｈ４に挿入され、弾性部材７０の他端がミラー３０のα軸方向の負方向側の主面Ｓ５上に位置する。これにより、弾性部材７０は、突起５２ｃに対してミラー３０を圧接させている。
【００５０】
弾性部材７２は、一枚の金属板がコ字型に折り曲げられて作製されている。そして、図２及び図４に示すように、弾性部材７２の一端が開口ｈ２に挿入され、弾性部材７２の他端がミラー３０のα軸方向の負方向側の主面Ｓ５上に位置する。これにより、弾性部材７２は、突起５４ｆ，５４ｇに対してミラー３０を圧接させている。
【００５１】
弾性部材６０は、一枚の金属板がコ字型に折り曲げられて作製されている。そして、弾性部材６０の一端が開口ｈ１に挿入され、弾性部材６０の他端がミラー３２のβ軸方向の負方向側の主面Ｓ２上に位置する。弾性部材６０の他端は、突起５４ｃ及び調整ねじ５４ｄが並んでいる方向と平行（α軸方向）な線上に位置する接触部分においてミラー３２の主面Ｓ２に対して接触している。これにより、弾性部材６０は、突起５２ｂ，５４ｃ及び調整ねじ５４ｄに対してミラー３２を圧接させている。
【００５２】
弾性部材６２は、一枚の金属板がコ字型に折り曲げられて作製されている。そして、弾性部材６２の一端が開口ｈ３に挿入され、弾性部材６２の他端がミラー３０のβ軸方向の負方向側の主面Ｓ２上に位置する。これにより、弾性部材６２は、突起５２ｂに対してミラー３２を圧接させている。
【００５３】
また、保持部４０，４２及びミラー３０，３２は、図５に示すように枠体７４に取り付けられている。より詳細には、枠体７４は、ｚ軸方向から平面視したときに、長方形状の枠形状をなしており、スライダーユニット２０の本体を構成している。そして、枠体７４に囲まれた空間内に、保持部４０，４２及びミラー３０，３２が設けられている。すなわち、スライダーユニット２０は、保持部４０，４２、ミラー３０，３２及び枠体７４を含んでいる。
【００５４】
（効果）
以上のように構成された保持構造５０によれば、ミラー３２の位置がずれることを抑制できる。より詳細には、特許文献１に記載の保持機構５００では、突起部５０５は、アーム５０４ｄに設けられている。アーム５０４ｄは、アーム５０４ｃと共にＬ字型の板状部材を構成している。このように折り曲げられたＬ字型の板状部材は、折り曲げられた部分の強度が弱いために、外力によって比較的に変形しやすい。一方、突起部５０４ａは、平板状の保持部材５０４の一部であるので、アーム５０４ｄに比べて変形しにくい。
【００５５】
したがって、画像読み取り装置が搬送等によって振動を受けると、アーム５０４ｃとアーム５０４ｄとのなす角度が変化し、突起部５０５の位置が変化するおそれがある。ただし、突起部５０４ａは変形しにくいので、突起部５０４ａの位置は変化しない。すなわち、突起部５０５と突起部５０４ａとの相対位置にずれが発生する。その結果、軸Ａｘ回りにおけるミラー５０２の位置がずれてしまうおそれがある。
【００５６】
そこで、保持構造５０では、対向部５４ｂがミラー３２のｙ軸方向の正方向側の端部においてミラー３２の主面Ｓ１に対向している。更に、突起５４ｃ及び調整ねじ５４ｄは、対向部５４ｂから突出し、かつ、ミラー３２の主面Ｓ１に接触している。すなわち、突起５４ｃ及び調整ねじ５４ｄは、同じ部材（対向部５４ｂ）上に設けられている。そのため、画像読み取り装置１０の搬送時の振動等によって、対向部５４ｂが傾いた場合には、突起５４ｃ及び調整ねじ５４ｄの両方の位置がずれるようになる。すなわち、突起５４ｃと調整ねじ５４ｄとの相対位置にずれが発生しない。その結果、ｙ軸回りにおけるミラー３２の位置がずれることが抑制される。
【００５７】
また、保持構造５０では、突起５４ｃ及び調整ねじ５４ｄは、α軸方向に並んでいる。更に、本体５４ａと対向部５４ｂとの連結部分は、α軸方向に延在している。これにより、対向部５４ｂが傾いた場合に、突起５４ｃのｙ軸方向及びβ軸方向の位置ずれの大きさ及び調整ねじ５４ｄのｙ軸方向及びβ軸方向の位置ずれの大きさが等しくなる。その結果、ミラー３２のｙ軸回りの位置がずれることがより効果的に抑制されるようになる。更に、ミラー３２がねじられることが抑制される。
【００５８】
ここで、ｙ軸回りにおけるミラー３２の位置がずれることが抑制されると、画像の品質が向上する。図６は、ｙ軸回りにおけるミラー３２の位置がずれた画像読み取り装置１０'の構成図である。図６（ａ）では、原稿Ｐのｘ軸方向の正方向側の端部（以下、単に原稿Ｐの後端と称す）が読み取られており、図６（ｂ）では、原稿Ｐのｘ軸方向の負方向側の端部（以下、単に原稿Ｐの先端と称す）が読み取られている。
【００５９】
ｙ軸回りにおけるミラー３２の位置がずれると、図６（ａ）に示す原稿Ｐの後端における読み取り位置Ｐ１と光源装置２７との相対位置と、図６（ｂ）に示す原稿Ｐの先端における読み取り位置Ｐ２と光源装置２７との相対位置とにずれが生じる。より詳細には、原稿Ｐの読み取り位置Ｐ１，Ｐ２で反射した光Ｂ１，Ｂ２は、撮像素子２４に入射するためには、ミラー３０の位置ｐ２及びミラー３２の位置ｐ３において反射する必要がある。ここで、原稿Ｐの後端が読み取られる際のスライダーユニット１８，２０間の距離は、原稿Ｐの先端が読み取られる際のスライダーユニット１８，２０間の距離よりも大きい。更に、ミラー２９，３０間を進行している光Ｂ１，Ｂ２は、ｘ軸方向に対して傾いている。そのため、光Ｂ１がミラー２９で反射する位置ｐ１と光Ｂ２がミラー２９で反射する位置ｐ４とは異なる。その結果、原稿Ｐの後端における読み取り位置Ｐ１と光源装置２７との相対位置と、原稿Ｐの先端における読み取り位置Ｐ２と光源装置２７との相対位置とにずれが生じる。このような相対位置のずれを目線ずれと呼ぶ。
【００６０】
ここで、光源装置２７が放射する光は、ｘ軸方向において配光を有している。そのため、読み取り位置Ｐ１を照射する光の強度と読み取り位置Ｐ２を照射する光の強度とは異なる。よって、原稿Ｐの先端における画像の明るさと原稿Ｐの後端における画像の明るさとに差が生じる。以上のように、ｙ軸回りにおけるミラー３２の位置がずれると、原稿Ｐの画像の明るさにむらが生じ、画像の品質が悪化する。
【００６１】
そこで、画像読み取り装置１０は、保持構造５０を備えている。これにより、ミラー３２のｙ軸回りの位置がずれることが抑制される。その結果、画像読み取り装置１０において、目線ずれが発生することが抑制され、画像の品質が向上する。
【００６２】
ここで、画像読み取り装置１０において、光源装置２７に用いられる光源は、ＬＥＤであっても蛍光灯であってもよいが、ＬＥＤであることが特に好ましい。ＬＥＤの指向性は、蛍光灯の指向性よりも強い。そのため、光源にＬＥＤが用いられた場合において読み取り位置Ｐ１を照射する光の強度と読み取り位置Ｐ２を照射する光の強度との差は、光源に蛍光灯が用いられた場合において読み取り位置Ｐ１を照射する光の強度と読み取り位置Ｐ２を照射する光の強度との差よりも大きくなる。よって、光源にＬＥＤが用いられた画像読み取り装置１０の方が、光源に蛍光灯が用いられた画像読み取り装置１０よりも、保持構造５０が適用されることによって、画像の品質の向上が顕著に現れる。また、ＬＥＤの消費電力が蛍光灯の消費電力よりも少ないので、ＬＥＤが光源に用いられることによって、画像読み取り装置１０の消費電力の低減が図られる。
【００６３】
なお、保持構造５０では、対向部５４ｂが傾くと、ミラー３２は、ｙ軸方向に対して傾く場合がある。ただし、ミラー３２のｙ軸方向の長さは十分に長い。そのため、ミラー３２がｙ軸方向に対して傾く角度の大きさは極めて小さいので、画質の劣化は極めて小さい。
【００６４】
また、突起５４ｃ及び調整ねじ５４ｄが本体５４ａと対向部５４ｂとの連結部分近傍に設けられると、対向部５４ｂが傾いたとしても、突起５４ｃ及び調整ねじ５４ｄのβ軸方向における位置ずれが小さくてすむ。その結果、ミラー３２がｙ軸に対して傾くことが抑制される。
【００６５】
また、弾性部材６０の他端は、突起５４ｃ及び調整ねじ５４ｄが並んでいる方向と平行な方向（α軸方向）に延びる接触部分においてミラー３２の主面Ｓ２に対して接触している。これにより、ミラー３２がねじられることが抑制される。
【００６６】
また、対向部５４ｂのα軸方向の幅は、ミラー３２のα軸方向の幅よりも大きい。これにより、突起５４ｃと調整ねじ５４ｄとの間隔を大きくすることができる。その結果、突起５２ｂ，５４ｃ及び調整ねじ５４ｄによりミラー３２を安定して支持することが可能となる。更に、突起５４ｃと調整ねじ５４ｄとの間隔が大きくなると、調整ねじ５４ｄの対向部５４ｂに対する突出量の変化に対して、ミラー３２のｙ軸回りの位置の変化が小さくなる。その結果、ミラー３２のｙ軸回りの位置を調整ねじ５４ｄにより微調整することが容易となる。
【００６７】
また、対向部５４ｂ及びストッパ５４ｅは、一枚の金属板が折り曲げられて作製されている。すなわち、ストッパ５４ｅが対向部５４ｂとは別の部材により作製されていない。これにより、これらを別の部材で作製した構成と比較してストッパ５４ｅの強度を向上させることができる。更に、ストッパ５４ｅは、対向部５４ｂを構成する金属板の面から折り曲げられて形成されている。これにより、金属板の展開長さを余分に広げることなく、対向部５４ｂのｙ軸方向の幅を大きくすることができ、対向部５４ｂの強度を向上させることができる。より具体的には、一枚の金属板からストッパと対向部とを、それぞれ別々に折り曲げて形成することで、対向部５４ｂと同様のｙ軸方向の長さを確保した対向部を作製する場合には、金属板の展開面積をより広くとる必要がある。また、金属板の展開面積を変えずに、一枚の金属板からストッパと対向部とをそれぞれ別々に折り曲げて形成する場合には、金属板の展開上、対向部が短くなる。そのため、ストッパ５４ｅは対向部５４ｂを構成する金属板の面から折り曲げられて形成されることにより、より好ましい構成となる。
【００６８】
また、保持機構５０では、調整ねじ５４ｄが段ねじにより構成されている。これにより、調整ねじ５４ｄが段部までしめこまれたときに弾性部材６０が塑性変形しないように設計することによって、調整ねじ５４ｄの締めすぎによる弾性部材６０の塑性変形を抑制できる。その結果、ミラー３２が適切な力により保持部４２により保持されるようになる。
【００６９】
なお、ミラー３２を角度調整可能な構成としては、調整ねじ５４ｄを、ミラー３２の上側に配置することに限らず、ミラー３２の下側に配置してもよい。また、保持機構５０は、スライダーユニット２０に設けられることに限らず、例えば、スライダーユニット１８に設けられてもよい。本願発明に係る保持機構を用いて、光源と撮像素子との間の光路に設けられたミラーを保持することにより、画像読み取り動作に伴う振動等によるミラーの位置ずれを抑制できる。
【産業上の利用可能性】
【００７０】
以上のように、本発明は、保持機構及び画像読み取り装置に有用であり、光学部材の位置がずれることを抑制できる点において優れている。
【符号の説明】
【００７１】
１０  画像読み取り装置
１２  本体
１８，２０  スライダーユニット
２２  結像レンズ
２４  撮像素子
２７  光源装置
２９，３０，３２  ミラー
４０，４２  保持部
５０  保持機構
５２，５４  保持部材
５２ａ，５４ａ  本体
５２ｂ，５２ｃ，５４ｃ，５４ｆ，５４ｇ  突起
５４ｂ  対向部
５４ｄ  調整ねじ
５４ｅ  ストッパ
６０，６２，７０，７２  弾性部材
【図１】
2013187756.tif 000003
【図２】
2013187756.tif 000004
【図３】
2013187756.tif 000005
【図４】
2013187756.tif 000006
【図５】
2013187756.tif 000007
【図６】
2013187756.tif 000008
【図７】
2013187756.tif 000009